(57)【要約】【課題】手を汚さず、簡単・確実に犬の糞を掬って回収することができる犬の糞の掬い具を提供する。【解決手段】プラスチック袋Ｐの開口端縁Ｐ１　を巻込状として保持する環状保持枠１と、環状保持枠１を先端２ａに有する柄２を、備える。環状保持枠１に、プラスチック袋Ｐの一部を基端３方向へ引張るように挾持するクリップ４を付設する。【選択図】　図１
0003097480.tif 000002
【実用新案登録請求の範囲】
【請求項１】
プラスチック袋（Ｐ）の開口端縁（Ｐ１　）を巻込状として保持する環状保持枠（１）と、該環状保持枠（１）を先端（２ａ）に有する柄（２）を、備え、該環状保持枠（１）又は該柄（２）に、上記プラスチック袋（Ｐ）の一部を基端（３）方向へ引張るように挾持するクリップ（４）を付設したことを特徴とする犬の糞の掬い具。
【請求項２】
プラスチック袋（Ｐ）の開口端縁（Ｐ１　）を巻込状として保持する環状保持枠（１）と、該環状保持枠（１）を先端（２ａ）に有する柄（２）と、上記プラスチック袋（Ｐ）の一部を基端（３）方向へ引張るように上記環状保持枠（１）又は該柄（２）に着脱自在に取着するクリップ（４）を備えたことを特徴とする犬の糞の掬い具。
【請求項３】
プラスチック袋（Ｐ）の開口端縁（Ｐ１　）を巻込状として保持する環状保持枠（１）と、該環状保持枠（１）を先端（２ａ）に有する柄（２）を、備え、該環状保持枠（１）又は該柄（２）に、上記プラスチック袋（Ｐ）の一部を基端（３）方向へ引張るように挾持するクリップ（４）を付設し、かつ、上記環状保持枠（１）の前端辺（１ａ）の厚さ（ｔ）を、先端（５）方向へしだいに肉薄に形成したことを特徴とする犬の糞の掬い具。
【請求項４】
プラスチック袋（Ｐ）の開口端縁（Ｐ１　）を巻込状として保持する環状保持枠（１）と、該環状保持枠（１）を先端（２ａ）に有する柄（２）と、上記プラスチック袋（Ｐ）の一部を基端（３）方向へ引張るように上記環状保持枠（１）又は該柄（２）に着脱自在に取着するクリップ（４）を備え、かつ、上記環状保持枠（１）の前端辺（１ａ）の厚さ（ｔ）を、先端（５）方向へしだいに肉薄に形成したことを特徴とする犬の糞の掬い具。
【請求項５】
環状保持枠（１）の環状本体部（６）の上面（７）が、上記柄（２）の軸心（Ｌ）の延長線（Ｌ１　）よりも下方に段差（Ｓ）をもって配設されたことを特徴とする犬の糞の掬い具。
【請求項６】
環状保持枠（１）の前端辺（１ａ）の前後幅寸法（Ｗ）を７ｍｍ≦Ｗ≦２５ｍｍに設定した請求項１，２，３，４又は５記載の犬の糞の掬い具。
【考案の詳細な説明】
【０００１】
【考案の属する技術分野】
本考案は、犬の糞の掬い具に関する。
【０００２】
【従来の技術】
一般に、犬を散歩させると、その道中、犬は糞をする。犬の糞をそのまま放置するのは、マナー違反であって、良識ある飼い主は、犬の糞をビニール袋に入れて、家へ持ち帰り、処分する。
【０００３】
しかし、犬の糞をビニール袋に入れるときに、誤って犬の糞に触れて手を汚してしまう虞れがあった。また、犬の糞を確実に回収するために、ビニールを介して犬の糞に触れなければならない場合があった。
【０００４】
【考案が解決しようとする課題】
そこで、本考案は、手を汚さず、簡単・確実に犬の糞を掬って回収することができる犬の糞の掬い具を提供することを目的とする。
【０００５】
【課題を解決するための手段】
上述の課題を達成するために、本考案に係る犬の糞の掬い具は、プラスチック袋の開口端縁を巻込状として保持する環状保持枠と、該環状保持枠を先端に有する柄を、備え、該環状保持枠又は該柄に、上記プラスチック袋の一部を基端方向へ引張るように挾持するクリップを付設したものである。
【０００６】
また、プラスチック袋の開口端縁を巻込状として保持する環状保持枠と、該環状保持枠を先端に有する柄と、上記プラスチック袋の一部を基端方向へ引張るように上記環状保持枠又は該柄に着脱自在に取着するクリップを備えたものである。
【０００７】
また、プラスチック袋の開口端縁を巻込状として保持する環状保持枠と、該環状保持枠を先端に有する柄を、備え、該環状保持枠又は該柄に、上記プラスチック袋の一部を基端方向へ引張るように挾持するクリップを付設し、かつ、上記環状保持枠の前端辺の厚さを、先端方向へしだいに肉薄に形成したものである。
【０００８】
また、プラスチック袋の開口端縁を巻込状として保持する環状保持枠と、該環状保持枠を先端に有する柄と、上記プラスチック袋の一部を基端方向へ引張るように上記環状保持枠又は該柄に着脱自在に取着するクリップを備え、かつ、上記環状保持枠の前端辺の厚さを、先端方向へしだいに肉薄に形成したものである。
【０００９】
また、環状保持枠の環状本体部の上面が、上記柄の軸心の延長線よりも下方に段差をもって配設されたものである。また、環状保持枠の前端辺の前後幅寸法Ｗを７ｍｍ≦Ｗ≦２５ｍｍに設定したものである。
【００１０】
【考案の実施の形態】
以下、実施の形態を示す図面に基づき、本考案を詳説する。
【００１１】
図１は、本考案の第１の実施の形態の使用状態を示す。すなわち、この犬の糞の掬い具Ｄは、プラスチック袋Ｐが付設されて、散歩中に犬（図示省略）が糞Ｘをしたとき、犬の糞の掬い具Ｄによって、プラスチック袋Ｐ内に犬の糞Ｘを掬って、犬の糞Ｘを家へ持ち帰る。
【００１２】
図１〜図３に示すように、犬の糞の掬い具Ｄは、プラスチック袋Ｐの開口端縁Ｐ１　を巻込状として保持する環状保持枠１と、環状保持枠１を先端２ａに有する柄２を備える。環状保持枠１及び柄２は、例えば、樹脂から成る。環状保持枠１は、平面視略矩形の環状本体部６を有する。環状保持枠１に、プラスチック袋Ｐの一部を基端３方向へ引張るように挾持するクリップ４が付設される。クリップ４は、ばね４ａによって、常時閉じる方向に弾発付勢されている。すなわち、１０は、環状保持枠１から上方へ突設された取付片であって、軸１１を介して揺動片１２が揺動可能に枢着され、また、挟みばねや板ばね等のばね４ａにてこの揺動片１２の先端１２ａが環状保持枠１へ押圧される方向（閉じる方向）へ弾発付勢されている。
【００１３】
環状保持枠１の前端辺１ａの前後幅寸法Ｗは７ｍｍ≦Ｗ≦２５ｍｍに設定される。前後幅寸法ＷがＷ＜７ｍｍのときは、強度不足となる。また、前後幅寸法Ｗが２５ｍｍ＜Ｗのときは、犬の糞Ｘ（図１参照）を掬いにくい。
【００１４】
図３に示すように、環状保持枠１の前端辺１ａの厚さｔは、先端５方向へしだいに肉薄に形成される。環状保持枠１の環状本体部６の上面７は、柄２の軸心Ｌの延長線Ｌ１　よりも下方に段差Ｓをもって配設される。
【００１５】
次に、犬の糞の掬い具Ｄの使用方法について説明する。
まず、図３に示すように、環状保持枠１にて、プラスチック袋Ｐの開口端縁Ｐ１　を巻込状として保持するとともに、クリップ４にて、プラスチック袋Ｐの一部を基端３（図１・図２参照）方向へ引張るように挾持する。
【００１６】
その後、図１に示すように、犬の糞の掬い具Ｄを犬の糞Ｘの下側に矢印Ａのように差し入れて、犬の糞Ｘを掬う。犬の糞Ｘを掬った後にクリップ４を開放状態とすると、図４に示すように、犬の糞Ｘは、その重さによって、プラスチック袋Ｐごと下方へ落下し、プラスチック袋Ｐは犬の糞の掬い具Ｄから離脱する。
【００１７】
図５に示すように、プラスチック袋Ｐの開口端縁Ｐ１　近傍を締結する。その後、図６に示すように、クリップ４にて、プラスチック袋Ｐの一部を挾持する。この状態で、犬の糞Ｘを家へ持ち帰る。近所の人にこのようにエチケットを守っていることをアピールできる。
【００１８】
図７は、第２の実施の形態を示す。すなわち、環状保持枠１の環状本体部６が、平面視略五角形に形成される。
【００１９】
図８・図９は、第３の実施の形態を示す。プラスチック袋Ｐの一部を基端３方向へ引張るように環状保持枠１に付設するクリップ４を別体に備え、着脱自在に取着できる。環状保持枠１は基端３側にクリップ４挾持用の突片部８を有する。
【００２０】
図９は、犬の糞の掬い具Ｄに、プラスチック袋Ｐを付設した状態を示す。突片部８とクリップ４にてプラスチック袋Ｐの一部が挾持されている。
【００２１】
なお、使用方法としては、２枚のプラスチック袋Ｐ，Ｐを重ねてクリップ４に挾持して使用するのも好ましい。
本考案は、設計変更可能であって、例えば、クリップ４を柄２に付設しても良い。また、突片部８を柄２に設けても良い。また、環状保持枠１は、金属や木材等から成るも良い。また、柄２は、金属や木材等から成るも良い。また、クリップ４の構成は、上述のもの（すなわち、ばね４ａを有する構成のもの）に限定されず、例えば、金属製板材を塑性変形させて、プラスチック袋Ｐを挾持・開放可能な板ばね形状としたものであっても良い。
【００２２】
【考案の効果】
本考案は、上述の如く構成されるので、次に記載する効果を奏する。
【００２３】
（請求項１，２，３，４，５，６によれば）手を汚さず、簡単・確実に犬の糞Ｘを掬って回収することができる。
（請求項３，４によれば）犬の糞Ｘの下方に差し込み易く（図１の矢印Ａ参照）、容易に犬の糞Ｘを掬うことができる。
（請求項５によれば）環状保持枠１の環状本体部６の上面７が、柄２の軸心Ｌの延長線Ｌ１　と同一高さに配設された場合と比較して、柄２を高い位置で操作して犬の糞Ｘを掬うことができるので、至便である。
（請求項６によれば）環状保持枠１の前端辺１ａが、平面視に於て、広い面積を有するので、容易に犬の糞Ｘを掬うことができる。
【図面の簡単な説明】
【図１】本考案の第１の実施の形態の使用状態を示す説明用側面図である。
【図２】平面図である。
【図３】使用状態を示す要部拡大断面側面図である。
【図４】使用状態を示す要部拡大断面側面図である。
【図５】糞を回収したプラスチック袋を示す説明用側面図である。
【図６】使用状態を示す説明用側面図である。
【図７】第２の実施の形態を示す要部拡大平面図である。
【図８】第３の実施の形態を示す平面図である。
【図９】要部拡大断面側面図である。
【符号の説明】
１　環状保持枠
１ａ　前端辺
２　柄
２ａ　先端
３　基端
４　クリップ
５　先端
６　環状本体部
７　上面
Ｌ　軸心
Ｌ１　　延長線
Ｐ　プラスチック袋
Ｐ１　　開口端縁
Ｓ　段差
ｔ　厚さ
Ｗ　前後幅寸法
【図１】
0003097480.tif 000003
【図２】
0003097480.tif 000004
【図３】
0003097480.tif 000005
【図４】
0003097480.tif 000006
【図５】
0003097480.tif 000007
【図６】
0003097480.tif 000008
【図７】
0003097480.tif 000009
【図８】
0003097480.tif 000010
【図９】
0003097480.tif 000011